(57)【要約】【課題】内部に映像信号の入力を選択するセレクタにより映像信号を選択して出力する映像出力機器において、容易な操作で、無駄な待機電力の消費を抑制しつつ映像信号の選択を可能にする。【解決手段】  ＤＶＤレコーダ１は、入力セレクタ２、メインユニット３、信号ライン４、出力セレクタ５、アンプ６、制御マイコン７、リモコン受信部８、リモコン９を備える。制御部は、セレクタモード時に、入力セレクタ２、信号ライン４、および出力セレクタ５への電源供給をオンにし、メインユニット３への電源供給をオフにすると共に、信号ライン４から出力された信号を出力セレクタ５に選択させる。セレクタモード時には、ＡＶ機器１０１〜１０３の入力の選択をチャンネルＵＰ／ＤＯＷＮキー９２から受け付ける。また、電源オフモード時には、さらに制御部７以外の各部への電源供給をすべてオフにする。  【選択図】図１
2008098874.tif 000002
【特許請求の範囲】
【請求項１】
複数の映像機器から入力した映像信号を選択する入力セレクタと、
前記入力セレクタで選択した映像信号を用いて所定の処理を行って映像信号を出力するメインユニットと、を備える映像出力機器において、
前記メインユニットと並行に設けられ、前記入力セレクタで選択した映像信号を、前記メインユニットを通さずに出力する信号ラインと、
前記メインユニットから出力された映像信号、前記信号ラインから出力された映像信号のいずれかを選択して出力する出力セレクタと、
装置本体各部に電源を供給する電源部と、
各部への電源供給のオン／オフを制御する制御部であって、所定の制御入力を受けた場合に、その制御入力に応じて前記電源部の電源モードを以下の（Ａ）〜（Ｃ）のモード、
（Ａ）前記入力セレクタ、前記メインユニット、および前記出力セレクタへの電源供給をオンにすると共に、前記メインユニットから出力された信号を前記出力セレクタに選択させる通常動作モード、
（Ｂ）前記制御部、前記電源部以外の各部への電源供給をオフにする電源オフモード、
（Ｃ）前記入力セレクタ、前記信号ライン、および前記出力セレクタへの電源供給をオンにし、前記メインユニットへの電源供給をオフにすると共に、前記信号ラインから出力された信号を前記出力セレクタに選択させるセレクタモード、
のいずれかに切り換える制御部と、
複数の操作子と、該操作子から所定の操作入力を受けた場合に所定の制御信号を送信する送信部を有するリモコンと、
前記リモコンから制御信号を受信して該制御信号を前記制御部に出力するリモコン受信部と、を備え、
前記制御部は、前記セレクタモードにおいて、前記操作子のうち番組選択用のチャンネル番号を上下させるチャンネルＵＰキー／チャンネルＤＯＷＮキーから操作入力を受ける毎に、前記入力セレクタに選択させる映像信号を順次切り換え、前記チャンネルＵＰキーの操作入力と前記チャンネルＤＯＷＮキーの操作入力を受けた場合とで、前記入力セレクタが出力する映像信号の順序を互いに逆にする制御を行なう映像出力機器。
【請求項２】
複数の映像機器から入力した映像信号を選択する入力セレクタと、
前記入力セレクタで選択した映像信号を用いて所定の処理を行って映像信号を出力するメインユニットと、を備える映像出力機器において、
前記メインユニットと並行に設けられ、前記入力セレクタで選択した映像信号を、前記メインユニットを通さずに出力する信号ラインと、
前記メインユニットから出力された映像信号、前記信号ラインから出力された映像信号のいずれかを選択して出力する出力セレクタと、
装置本体各部に電源を供給する電源部と、
これらの動作のオン／オフを制御する制御部であって、所定の制御入力を受けた場合に、その制御入力に応じて前記電源部の電源モードを以下の（Ａ）〜（Ｃ）のモード、
（Ａ）前記入力セレクタ、前記メインユニット、および前記出力セレクタへの電源供給をオンにすると共に、前記メインユニットから出力された信号を前記出力セレクタに選択させる通常動作モード、
（Ｂ）前記制御部、および前記電源部以外の各部への電源供給をオフにする電源オフモード、
（Ｃ）前記入力セレクタ、前記信号ライン、および前記出力セレクタへの電源供給をオンにし、前記メインユニットへの電源供給をオフにすると共に、前記信号ラインから出力された信号を前記出力セレクタに選択させるセレクタモード、
のいずれかに切り換える制御部と、を備える映像出力機器。
【請求項３】
複数の操作子と、該操作子から所定の操作入力を受けた場合に所定の制御信号を送信する送信部を有するリモコンと、
前記リモコンから制御信号を受信して該制御信号を前記制御部に出力するリモコン受信部と、をさらに備え、
前記リモコン受信部は、前記電源モードに関わらず動作し、
前記制御部は、前記セレクタモードにおいて、前記操作子のうちいずれか１以上の特定の操作子から操作入力を受ける毎に、前記入力セレクタに選択させる映像信号を順次切り換える請求項２に記載の映像出力機器。
【請求項４】
前記入力セレクタに選択させる映像信号を切り換える前記特定の操作子を、番組選択用のチャンネル番号を上下させるチャンネルＵＰキー／チャンネルＤＯＷＮキーとし、
前記制御部は、前記チャンネルＵＰキーの操作入力と前記チャンネルＤＯＷＮキーの操作入力を受けた場合とで、前記入力セレクタが出力する映像信号の順序を互いに逆にする制御を行なう請求項２〜３のいずれかに記載の映像出力機器。
【請求項５】
前記入力セレクタから映像信号が入力されたことを検出する信号検出手段を備え、
前記制御部は、入力セレクタから映像信号が入力された状態で、かつ前記メインユニットが動作停止状態のときに、前記電源部の電源モードを前記セレクタモードに切り換える請求項２〜４のいずれかに記載の映像出力機器。
【発明の詳細な説明】
【技術分野】
【０００１】
本発明は、内部にセレクタを備え、映像信号をこのセレクタにより選択して表示器に出力する映像出力機器に関する。
【背景技術】
【０００２】
従来より、デジタルカメラやＤＶＤプレーヤやゲーム機器等の電子機器を接続し、これらの電子機器から入力した映像信号をこのセレクタにより選択して、表示器に出力する映像出力機器（たとえば、ＤＶＤレコーダ）が実用化されている。このような機器では、単にセレクタだけを使用する場合に、ＨＤＤ等を有するメインユニットに大量の待機電流を常時流しておくのは、無駄な電力の消費になる。特許文献１には、メインユニットの電源をオフにしている場合であっても、外部入力端子のセレクタとして用いることができるよう、電子スイッチを使用し、この電子スイッチには、常時電源が供給されセレクタとして機能する記録再生装置が開示されている（段落００７９参照）。
【０００３】
また、特許文献２、３には、電源オン操作をしなくても所望のＡＶソースを楽しむため、信号検出手段を備え、入力信号を検出した場合には、電源を自動的にオンにするセレクタ装置、電子情報機器が開示されている。特許文献３には、入力信号の検出するために、電子情報機器に入力するＡＶ機器の出力インピーダンスを検出する旨、記載されている。
【特許文献１】特開２００３−１８７５２１公報
【特許文献２】特開２００１−２５１５７４公報
【特許文献３】特開平８−５５３８４号公報
【発明の開示】
【発明が解決しようとする課題】
【０００４】
しかしながら、特許文献１の構成ではセレクタの電源をもオフにするモードは記載されておらず、無駄な待機電力を消費する虞があった。また、電子スイッチを使用する方法が具体的に記載されておらず、単に電子セレクタを使用するだけでは、操作性が十分でない問題があった。また、特許文献２、３には、セレクタのみを使用するとき、メインユニットをオフにする旨の記載はなく、セレクタだけを使用するときは、無駄な待機電力を消費する虞があった。
【０００５】
そこで、本発明は、内部に映像信号の入力を選択するセレクタにより映像信号を選択して出力する映像出力機器において、容易な操作で、無駄な待機電力の消費を抑制しつつ映像信号の選択を可能にすることを目的とする。
【課題を解決するための手段】
【０００６】
本発明は、上述の課題を解決するための手段を以下のように構成している。
【０００７】
（１）  複数の映像機器から入力した映像信号を選択する入力セレクタと、
前記入力セレクタで選択した映像信号を用いて所定の処理を行って映像信号を出力するメインユニットと、を備える映像出力機器において、
前記メインユニットと並行に設けられ、前記入力セレクタで選択した映像信号を、前記メインユニットを通さずに出力する信号ラインと、
前記メインユニットから出力された映像信号、前記信号ラインから出力された映像信号のいずれかを選択して出力する出力セレクタと、
装置本体各部に電源を供給する電源部と、
これらの動作のオン／オフを制御する制御部であって、所定の制御入力を受けた場合に、その制御入力に応じて前記電源部の電源モードを以下の（Ａ）〜（Ｃ）のモード、
（Ａ）前記入力セレクタ、前記メインユニット、および前記出力セレクタへの電源供給をオンにすると共に、前記メインユニットから出力された信号を前記出力セレクタに選択させる通常動作モード、
（Ｂ）前記制御部、および前記電源部以外の各部への電源供給をオフにする電源オフモード、
（Ｃ）前記入力セレクタ、前記信号ライン、および前記出力セレクタへの電源供給をオンにし、前記メインユニットへの電源供給をオフにすると共に、前記信号ラインから出力された信号を前記出力セレクタに選択させるセレクタモード、
のいずれかに切り換える制御部と、を備える。
【０００８】
この構成では、制御部が、電源装置の電源モードを通常動作モード、電源オフモード、のほかにセレクタモードに切り換える。このセレクタモードでは、メインユニットに電流を流さないから、セレクタとして、映像出力機器を使用するときには、無駄な電力の消費を抑制することができる。電源オフモードでは、制御部は、さらにセレクタにも電流を流さないから、セレクタを使用しないときには、無駄な電力の消費をさらに抑制することができる。また、これらのモードの切替の操作を、例えば、本体の装置のスイッチや、リモコン等から受け付けることができ、制御部は、これらの制御入力を受けた場合に、これらのモードの切替をすることができる。したがって、容易な操作で無駄な電力の消費を抑制しつつ、映像信号の選択を可能にすることができる。
【０００９】
（２）  複数の操作子と、該操作子から所定の操作入力を受けた場合に所定の制御信号を送信する送信部を有するリモコンと、
前記リモコンから制御信号を受信して該制御信号を前記制御部に出力するリモコン受信部と、をさらに備え、
前記リモコン受信部は、前記電源モードに関わらず動作させ、
前記制御部は、前記セレクタモードにおいて、前記操作子のうちいずれか１以上の特定の操作子から操作入力を受ける毎に、前記入力セレクタに選択させる映像信号を順次切り換える。
【００１０】
この構成では、メインユニットの電源をオフにするセレクタモードにおいて、リモコンの１以上の特定の操作子による操作入力を受ける毎に、前記入力セレクタに選択させる映像信号を順次切り換える。したがって、特定の操作子の連打により、セレクタが選択する映像信号を順繰り切り換えるから、容易な操作で映像信号の選択することができる。セレクタモードでは、メインユニットの電源をオフにしているから、セレクタだけを使用する場合には、無駄な待機電力を使用しないで済む。したがって、この構成では、容易な操作で、無駄な待機電力の消費を抑制しつつ映像信号を選択できる。
【００１１】
（３）  前記入力セレクタに選択させる映像信号を切り換える前記特定の操作子を、番組選択用のチャンネル番号を上下させるチャンネルＵＰキー／チャンネルＤＯＷＮキーとし、
前記制御部は、前記チャンネルＵＰキーの操作入力と前記チャンネルＤＯＷＮキーの操作入力を受けた場合とで、前記入力セレクタが出力する映像信号の順序を互いに逆に制御する。
【００１２】
この構成では、チャンネルＵＰキー／チャンネルＤＯＷＮキーを、前記入力セレクタに選択させる映像信号を切り換えるのに使用している。したがって、ユーザにとって、入力する映像信号の入力のチャンネル選択と、番組チャンネルの選択が感覚的に合致し、操作が分かり易い。また、前記チャンネルＵＰキーから操作入力を受けた場合と前記チャンネルＤＯＷＮキーから操作入力を受けた場合とで、前記入力セレクタが出力する映像信号の順序を互いに逆に制御するので、容易に所望の映像信号を選択できる。
【００１３】
なお、チャンネルＵＰキー／チャンネルＤＯＷＮキーは、映像出力装置本体に設けても良いし、（３）の構成ではリモコンに設けることができる。
【００１４】
（４）  前記入力セレクタから映像信号が入力されたことを検出する信号検出手段を備え、
前記制御部は、入力セレクタから映像信号が入力された状態で、かつ前記メインユニットが動作停止状態のときに、前記電源部の電源モードを前記セレクタモードに切り換える。
【００１５】
この構成では、メインユニットが停止状態で、かつ、入力セレクタから映像信号が入力された状態の場合に、ユーザの指示がなくとも自動的にセレクタモードに切り換えるから、無駄な待機電力の消費をより一層抑制することができる。
【発明の効果】
【００１６】
本発明によれば、セレクタにより映像信号を選択して出力する映像出力機器において、容易な操作で、無駄な待機電力の消費を抑制しつつ映像信号を選択できる。
【発明を実施するための最良の形態】
【００１７】
図１のブロック図を用いて、ＤＶＤレコーダ１の構成について説明する。ＤＶＤレコーダ１は、外部のＡＶ機器１０１〜１０３の映像信号、音声信号を入力して、表示器１１０に映像信号を出力するものであり、入力セレクタ２と、メインユニット３と、信号ライン４と、出力セレクタ５と、アンプ６と、制御マイコン７と、リモコン受信部８と、リモコン９を備えている。
【００１８】
ＡＶ機器１０１〜１０３は、それぞれＤＶＤプレーヤ、カメラ、ゲーム機器等の映像信号、左右チャンネルの音声信号を出力する機器であり、入力セレクタ２に接続されている。
【００１９】
電源部１０は、トランス、レギュレータ等を備え、ＤＶＤレコーダ１内部の各部に電源を供給する。
【００２０】
入力セレクタ２は、映像信号入力セレクタ２１、左音声入力セレクタ２２、右音声入力セレクタ２３を備えており、それぞれデマルチプレクサで構成する。映像信号入力セレクタ２１は、ＡＶ機器１０１〜１０３の映像信号を選択する。左音声入力セレクタ２２は、ＡＶ機器１０１〜１０３の左チャンネルの音声信号を選択する。右音声入力セレクタ２３は、ＡＶ機器１０１〜１０３の右チャンネルの音声信号を選択する。
【００２１】
メインユニット３は、ハードディスク、ハードディスクドライブ、ＤＶＤドライブ等、およびエンコーダを有して映像信号を記録媒体（ハードディスク、ＤＶＤ等）に記録する記録部、テレビ放送受信用チューナ等を備える。この構成により、メインユニット３は、入力セレクタ２で選択した映像信号、左右チャンネルの音声信号（以下、「映像信号等」という。）を入力し、これらをエンコードして、ハードディスク、またはＤＶＤドライブに記録すると同時に、これらの映像信号等を出力セレクタ５に出力する。また、記録した映像信号等の再生の制御入力をリモコン９から受けた場合には、この映像信号等を再生して出力する。また、メインユニット３は、このチューナから入力した映像信号等を記録し、再生する。
【００２２】
信号ライン４は、入力セレクタ２で選択した映像信号等を、メインユニット３を通さずに表示器１１０へ出力する信号ラインであり、バッファを備える。このバッファは、メインユニット３と並行にこれらの信号を入力し、インピーダンスを出力先の表示器１１０と整合させて、出力セレクタ５に出力する。ＤＶＤレコーダ１のうち、セレクタ２の機能のみを使用する場合には、制御マイコン７がメインユニット３の電源供給をオフにさせて、信号ライン４を介して出力するので、無駄な待機電力の消費を抑制することができる。
【００２３】
出力セレクタ５は、映像信号等を選択するデマルチプレクサで構成し、メインユニット３側、または、信号ライン４側のいずれか一方の信号系統の組を選択する。アンプ６は、増幅器であり、出力セレクタ５から入力した映像信号等を表示器１１０に必要な信号強度に調整する。
【００２４】
表示器１１０は、テレビ受像機であり、例えば液晶パネルと、音声信号を出力するスピーカを備える。表示器１１０は、アンプ６から入力した映像信号を変換して液晶パネルに表示すると共に、左右チャンネルの音声信号を変換してステレオ音声を放音する。
【００２５】
制御マイコン７は、リモコン受信部８から入力される制御信号に基づいて、電源部１０による各部への電源供給のオン／オフを制御する。具体的には、制御マイコン７は、電源モードをセレクタモード、通常動作モード、電源オフモードに切り換える。詳細は後述するが、ここでは簡単に各モードの機能を説明する。（Ａ）通常動作モードでは、メインユニット３が動作する。（Ｂ）電源オフモードでは、電源部１０、制御マイコン７、リモコン受信部８だけが動作する。（Ｃ）セレクタモードでは、メインユニット３が動作を停止すると共に、入力セレクタ２、信号ライン４が動作し、入力セレクタ２で入力された映像信号出力セレクタ５、アンプ６を介して表示器１１０に出力する。
【００２６】
リモコン受信部８は、例えば、フォトダイオードを備え、リモコン９から送信された赤外線の制御信号を変換して、これを制御マイコン７に出力する。リモコン９は、電源ボタン９１、チャンネルＵＰ／ＤＯＷＮキー９２等の操作子と、操作子の接点がオンになったときに所定の赤外線の制御信号を送信する送信部を備える。リモコン９の操作子の接点がオンになったときには、制御マイコン７は、この操作子に対応する動作の制御を行う。
【００２７】
電源ボタン９１は、上で説明したセレクタモード、通常動作モード、電源オフモードを順に切り換える制御入力の送信を受け付けるための操作子である。チャンネルＵＰ／ＤＯＷＮキー９２は、２つのキーからなり、通常動作モードでは、メインユニット３内部のテレビ放送受信用チューナで番組を選局するための制御入力を入力するのに使用する。また、チャンネルＵＰ／ＤＯＷＮキー９２は、セレクタモード時には、入力セレクタ２がＡＶ機器１０１〜１０３を選択するのに使用する。ユーザがチャンネルＵＰキーを連打すると、制御マイコン７は、入力セレクタ２に選択させるＡＶ機器１０１〜１０３を昇順に切り換える。チャンネルＤＯＷＮキーを連打すると、制御マイコン７は、入力セレクタ２に入力するＡＶ機器１０１〜１０３を降順に切り換える。ＡＶ機器１０１〜１０３のチャンネル切り換え方法としては、リモコン９側で送信する制御信号を換えても良いし、制御マイコン７が特定の制御信号の入力を受けて、入力セレクタ２に選択させるＡＶ機器１０１〜１０３を切り換えてもよい。
【００２８】
なお、入力セレクタ２、出力セレクタ５の消費電流はそれぞれ、１０〜２０ミリアンペア、制御マイコン７が数ミリアンペア（１０ミリアンペア未満）である。メインユニット３は、ＨＤＤ等を備えているので、使用電流がアンペアオーダである。
【００２９】
次に、図２、図３を用いて制御マイコン７が設定する電源モードについて説明する。図２、図３で、点線部分のブロックは、電源の供給がされてないことを示し、点線部分の信号ラインについては、信号が伝送されていないことを示している。電源部１０、リモコン受信部８、リモコン９については図示を省略しているが、電源モードに関わらず、電源部１０、リモコン受信部８が動作している。ただし、電源部１０に流れる電流は各部の動作状況に応じて異なってくる。
【００３０】
図２（Ａ）に示すように、通常動作モードでは、制御マイコン７は、入力セレクタ２、メインユニット３、および出力セレクタ５への電源供給をオンにすると共に、メインユニット３から出力された信号を出力セレクタ５に選択させる。
図２（Ｂ）に示すように、電源オフモードでは、制御マイコン７は、制御マイコン７、電源部１０以外の各部への電源供給をオフにする。リモコン受信部８は、動作しているので、リモコン９から所定の制御信号を受信した場合には、制御マイコン７は、通常動作モードまたはセレクタモードに切り換える。
【００３１】
図３に示すように、セレクタモードでは、制御マイコン７は、入力セレクタ２、信号ライン４、および出力セレクタ５への電源供給をオンにし、メインユニット３への電源供給をオフにすると共に、信号ライン４から出力された信号を出力セレクタ５に選択させる。これにより、ＡＶ機器１０１〜１０３の信号を選択する入力セレクタ２の機能のみ使用し、メインユニット３の録画、再生等の機能を使用しない場合には、無駄な待機電力の消費を抑制することができる。このセレクタモードにおいて、前述の通り、リモコン９のチャンネルＵＰ／ＤＯＷＮキー９２からＡＶ機器１０１〜１０３の映像信号等の選択を受け付ける。
【００３２】
また、以上の実施形態について、以下の実施例も可能である。
メインユニット３内に制御マイコン７と別の制御部を設けてメインユニット３を制御しても良い。この場合、制御マイコン７は、単にメインユニット３以外の各部（入力セレクタ２、電源部１０、信号ライン４、出力セレクタ５）の動作のみを制御し、リモコン受信部８から受けた制御信号をメインユニット３内の制御部に伝達するものとすることができる。このようにすることで、セレクタモード、電源オフモード時に、無駄な待機電力の消費をより一層抑制することができる。
【００３３】
上述の通り、メインユニット３内に制御マイコン７と別の制御部を設けた場合、さらに、入力セレクタ２の後段、またはメインユニット３内部に、入力セレクタ２で入力する信号のインピーダンスを検出する信号検出部を設けてもよい。これにより、入力セレクタ２に入力されている映像信号等を検出できる。メインユニット３が、制御入力を受けておらず、動作が停止状態にあるときは（本発明の停止状態に相当する。）、制御マイコン７はメインユニット３からこの停止状態である旨の制御信号を受けて、電源部１０の電源モードをセレクタモードにしてもよい。これにより、メインユニット３が停止状態で、かつ、入力セレクタ２が映像信号等を出力している場合に、自動的にセレクタモードに切り換わるから、無駄な待機電力の消費をより一層抑制することができる。
【００３４】
また、以上の説明では、制御マイコン７、リモコン受信部８は、常にオンにするとしたが、制御マイコン７、リモコン受信部８をもオフにするスイッチをＤＶＤレコーダ１本体に設けてもよい。また、この実施形態の通常動作モードでは、信号ライン４を動作させないとしたが動作させても良い。しかし、通常動作モードでは、信号ライン４を動作しない方が無駄な消費電力を抑制できるので望ましい。
【００３５】
本実施形態のＤＶＤレコーダ１には、ＡＶ機器１０１〜１０３の合計３系統の映像信号等を入力したが、３系統でなくても、２系統以上であればよい。また、映像信号等でなくても、少なくとも映像信号が含まれればよい。音声信号は左右２チャンネルでなくても、モノラルでも良く、マルチチャンネルでも良い。以上の実施形態では、ＤＶＤレコーダ１について説明したが、映像信号を入力する外部のＡＶ機器１０１〜１０３の入力セレクタ２を有する機器で映像信号を出力できる機器であれば、本発明の実施形態として適用できる。
【００３６】
また、リモコン９の電源モードの切り換えは、必ずしも電源ボタン９１でなくてもよく、その他の操作子でも良い。また、メインユニット３の初期設定で、セレクタモードの有無の選択を受け付けても良い。このようにすれば、電源ボタン９１の押下げと共に、制御マイコン７は、直ちに電源オフモードにすることができる。さらに、前述した信号検出部を設けて、入力セレクタ２から出力された映像信号等を検出している場合にのみ、セレクタモードに切り換えてもよい。このようにすれば、映像信号等を検出していないときは、制御マイコン７は、電源ボタン９１の押下げと共に直ちに電源オフモードにすることができる。
【００３７】
また、信号ライン４に設けたバッファ４１〜４３については、信号のインピーダンスを調整する必要がなければ、必ずしもバッファ４１〜４３を設ける必要がなく、単に映像信号等の伝送ラインでも良い。
さらに、リモコン９に電源ボタン９１、チャンネルＵＰ／ＤＯＷＮキー９２を設けたが、ＤＶＤレコーダ１の本体に操作子を設けて操作入力を受け付けても良い。
【図面の簡単な説明】
【００３８】
【図１】本実施形態に係る映像出力機器のブロック図
【図２】本実施形態に係る映像出力機器の動作図
【図３】本実施形態に係る映像出力機器の動作図
【符号の説明】
【００３９】
１−ＤＶＤレコーダ、  ２−入力セレクタ、
２１−映像信号入力セレクタ、  ２２−左音声入力セレクタ、
２３−右音声入力セレクタ、  ３−メインユニット、  ４−信号ライン、
４１−バッファ、  ４２−バッファ、  ４３−バッファ、
５−出力セレクタ、  ５１−映像信号出力セレクタ、  ５２−左音声出力セレクタ、
５３−右音声出力セレクタ、  ６−アンプ、  ７−制御マイコン、
８−赤外線受光部、  ９−リモコン、  ９１−電源ボタン、
９２−チャンネルＵＰ／ＤＯＷＮキー、
１０１〜１０３−ＡＶ機器、  １１０−表示器
【図１】
2008098874.tif 000003
【図２】
2008098874.tif 000004
【図３】
2008098874.tif 000005